【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
光源から発生する光を投射面に走査する走査手段と、映像信号を入力し前記投射面における光の照射位置に対応する画素の階調値を規定する階調信号を生成する映像信号処理手段と、前記階調信号に応じた駆動信号を生成する駆動信号源、ダミー負荷及び前記駆動信号の出力先を前記階調信号に応じて前記ダミー負荷または前記光源のいずれかに切り替えるための出力切替スイッチを有する駆動信号生成手段とを備えた画像表示装置であって、
外部から入力される前記映像信号を所定画素数分蓄積し、且つ前記投射面における所定時刻の光の照射位置に対応する表示対象画素の映像信号を前記映像信号処理手段に出力する映像信号蓄積手段と、
前記映像信号蓄積手段に蓄積された映像信号を基に、前記所定時刻の前記表示対象画素から所定画素数後の表示対象画素までの間に前記駆動信号源を動作させるか否かを判定し、当該判定結果を示す信号源動作可否信号を出力する動作判定手段と、
を備え、
前記駆動信号生成手段は、前記信号源動作可否信号に基づいて前記駆動信号源の動作／非動作を切り替える動作切替手段を備える、
ことを特徴とする画像表示装置。
【請求項２】
前記映像信号は、ビット数Ｎのデジタル映像信号であり、
前記映像信号蓄積手段は、
前記デジタル映像信号の各ビットデータに対応して設けられ、各々に対応するビットデータを入力とし、複数個のフリップフロップが直列接続された構成からなる第１〜第Ｎのシフトレジスタを有し、
前記動作判定手段は、
前記第１〜第Ｎのシフトレジスタの各々に対応して設けられ、各々に対応するシフトレジスタにおける全フリップフロップの出力信号の論理和信号を第１〜第Ｎの信号源動作可否信号として出力する第１〜第Ｎの論理和回路を有し、
前記映像信号処理手段は、
前記第１〜第Ｎのシフトレジスタにおける最終段のフリップフロップの出力信号を前記表示対象画素のデジタル映像信号として入力し、当該デジタル映像信号を基に表示対象画素の階調値を規定するビット数Ｎのデジタル階調信号を生成し、
前記駆動信号生成手段は、
最大階調値に対応する電流を生成する第１の電流源と、
制御端子を除く２端子の内の第１の端子が前記第１の電流源と接続され、第２の端子が第１の共通電位線と接続され、前記制御端子が自身の前記第１の端子と接続された入力側トランジスタ素子と、
前記デジタル階調信号の各ビットに対応して設けられ、制御端子を除く２端子の内の第２の端子が前記第１の共通電位線と接続され、前記制御端子が前記入力側トランジスタ素子の制御端子と接続された第１〜第Ｎの出力側トランジスタ素子と、
前記第１〜第Ｎの信号源動作可否信号の各々に対応して設けられると共に２端子の内一方の端子が各々に対応する第１〜第Ｎの出力側トランジスタ素子の第１の端子に接続され、各々に対応する第１〜第Ｎの信号源動作可否信号に応じて２端子間の接続／非接続を切り替える第１〜第Ｎの動作切替手段と、
前記光源の閾値電流を生成する第２の電流源と、
前記デジタル階調信号の各ビットに対応して設けられ、一端が第２の共通電位線と接続された第１〜第Ｎのダミー負荷と、
前記デジタル階調信号の各ビットに対応して設けられ、各々に対応するビットデータに応じて、各々に対応する第１〜第Ｎの動作切替手段の他方の端子を前記第１〜第Ｎのダミー負荷の他端と接続するか、または前記第２の電流源の一端と接続するかを切り替える第１〜第Ｎの出力切替スイッチと、
前記第２の電流源の一端に流れる電流と略同一の電流値を有する駆動電流を前記駆動信号として出力するカレントミラー回路と、を有し、
前記第１〜第Ｎの出力側トランジスタ素子の電気的特性は、各々に対応するビットデータに応じた電流を生成するように設定されている、
ことを特徴とする請求項１記載の画像表示装置。
【請求項３】
前記映像信号は、ビット数Ｎのデジタル映像信号であり、
前記映像信号蓄積手段は、
前記デジタル映像信号の各ビットデータに対応して設けられ、各々に対応するビットデータを入力とし、複数個のフリップフロップが直列接続された構成からなる第１〜第Ｎのシフトレジスタを有し、
前記動作判定手段は、
前記第１〜第Ｎのシフトレジスタにおける全フリップフロップの出力信号の論理和信号を前記信号源動作可否信号として出力する論理和回路を有し、
前記映像信号処理手段は、
前記第１〜第Ｎのシフトレジスタにおける最終段のフリップフロップの出力信号を前記表示対象画素のデジタル映像信号として入力し、当該デジタル映像信号を基に表示対象画素の階調値を規定するＰＷＭ(Pulse Width Modulation)階調信号を生成し、
前記駆動信号生成手段は、
最大階調値に対応する電流を生成する第１の電流源と、
制御端子を除く２端子の内の第１の端子が前記第１の電流源と接続され、第２の端子が第１の共通電位線と接続され、前記制御端子が自身の前記第１の端子と接続された入力側トランジスタ素子と、
制御端子を除く２端子の内の第２の端子が前記第１の共通電位線と接続され、前記制御端子が前記入力側トランジスタ素子の制御端子と接続された出力側トランジスタ素子と、
２端子の内一方の端子が前記出力側トランジスタ素子の第１の端子と接続され、前記信号源動作可否信号に応じて２端子間の接続／非接続を切り替える動作切替手段と、
前記光源の閾値電流を生成する第２の電流源と、
一端が第２の共通電位線と接続されたダミー負荷と、
前記ＰＷＭ階調信号に応じて前記動作切替手段の他方の端子を前記ダミー負荷の他端と接続するか、または前記第２の電流源の一端と接続するかを切り替える出力切替スイッチと、
前記第２の電流源の一端に流れる電流と略同一の電流値を有する駆動電流を前記駆動信号として出力するカレントミラー回路と、を有する、
ことを特徴とする請求項１記載の画像表示装置。
【請求項４】
前記走査手段は、前記光を反射する反射ミラーと、前記反射ミラーの反射面に沿った第１の軸回りに前記反射ミラーを回転させるための第１の回転支持部とを備えるＭＥＭＳ(Micro Electro Mechanical System)スキャナであり、
前記反射ミラーの前記第１の軸回りの回転角を前記投射面における光の照射位置として検出する照射位置検出手段と、
前記照射位置検出手段によって検出された光の照射位置に応じて前記駆動信号生成手段への前記階調信号の出力タイミングを規定する画素同期クロック信号を生成する画素同期クロック発生手段と、
を備え、
前記画素同期クロック信号を前記映像信号蓄積手段における前記フリップフロップのクロック信号として使用し、
前記映像信号処理手段は、前記画像同期クロック信号に同期して表示対象画素の階調信号を前記駆動信号生成手段に出力する、
ことを特徴とする請求項２または３記載の画像表示装置。
【請求項５】
光源と、
前記光源から発生する光を投射面に走査する走査手段と、
入力された映像信号を蓄積し、且つ前記投射面における第１時刻Ｔ１の前記光の照射位置に対応する画素の映像信号を出力する映像信号蓄積手段と、
前記映像信号蓄積手段から出力された前記映像信号が入力され、前記第１時刻Ｔ１の照射位置に対応する画素の階調値を規定する階調信号を生成する映像信号処理手段と、
前記映像信号処理手段で生成された前記階調信号に応じて駆動信号を生成する駆動信号源を備える駆動信号生成手段と、
前記映像信号蓄積手段に蓄積された前記映像信号を参照して前記駆動信号源の動作可否を判定し、且つ当該判定結果を示す信号源動作可否信号を出力する動作判定手段と、を備え、
前記駆動信号生成手段は、
前記動作判定手段から出力された前記信号源動作可否信号に応じて、前記駆動信号源を動作または停止の状態に切り替える動作切替手段と、
ダミー負荷と、
前記駆動信号の出力先を前記ダミー負荷または前記光源のいずれかに切り替える出力切替スイッチと、を備え、
前記動作判定手段は、
前記第１の時刻Ｔ１から前記第１の時刻Ｔ１よりも遅い第２の時刻Ｔ２までの間に照射される位置に対応する画素の中に前記光が照射される画素がある場合には、前記駆動信号源を動作させる前記信号源動作可否信号を出力し、
前記第１の時刻Ｔ１から前記第２の時刻Ｔ２までの間に照射される位置に対応する画素の中に、前記光が照射される画素がない場合には、前記駆動信号源を停止させる前記信号源動作可否信号を出力する、
ことを特徴とする画像表示装置。
【請求項６】
光源から発生する光を投射面に走査する走査手段と、映像信号を入力し前記投射面における光の照射位置に対応する画素の階調値を規定する階調信号を生成する映像信号処理手段と、前記階調信号に応じた駆動信号を生成する駆動信号源、ダミー負荷及び前記駆動信号の出力先を前記階調信号に応じて前記ダミー負荷または前記光源のいずれかに切り替えるための出力切替スイッチを有する駆動信号生成手段とを備えた画像表示装置の駆動方法であって、
外部から入力される前記映像信号を所定画素数分蓄積し、且つ前記投射面における所定時刻の光の照射位置に対応する表示対象画素の映像信号を前記映像信号処理手段に出力し、
前記蓄積された映像信号を基に、前記所定時刻の前記表示対象画素から所定画素数後の表示対象画素までの間に前記駆動信号源を動作させるか否かを判定し、当該判定結果に基づいて前記駆動信号源の動作／非動作を切り替える、
ことを特徴とする画像表示装置の駆動方法。
【請求項７】
映像信号に基づいて光源から発生する光を投射面に走査して画像を表示する画像表示装置の駆動装置であって、
入力された前記映像信号を蓄積し、且つ前記投射面における第１時刻Ｔ１の前記光の照射位置に対応する画素の映像信号を出力する映像信号蓄積手段と、
前記映像信号蓄積手段から出力された前記映像信号が入力され、前記第１時刻Ｔ１の照射位置に対応する画素の階調値を規定する階調信号を生成する映像信号処理手段と、
前記映像信号処理手段で生成された前記階調信号に応じて駆動信号を生成する駆動信号源を備える駆動信号生成手段と、
前記映像信号蓄積手段に蓄積された前記映像信号を参照して前記駆動信号源の動作可否を判定し、且つ当該判定結果を示す信号源動作可否信号を出力する動作判定手段と、を備え、
前記駆動信号生成手段は、
前記動作判定手段から出力された前記信号源動作可否信号に応じて、前記駆動信号源を動作または停止の状態に切り替える動作切替手段と、
ダミー負荷と、
前記駆動信号の出力先を前記ダミー負荷または前記光源のいずれかに切り替える出力切替スイッチと、を備え、
前記動作判定手段は、
前記第１の時刻Ｔ１から前記第１の時刻Ｔ１よりも遅い第２の時刻Ｔ２までの間に照射される位置に対応する画素の中に前記光が照射される画素がある場合には、前記駆動信号源を動作させる前記信号源動作可否信号を出力し、
前記第１の時刻Ｔ１から前記第２の時刻Ｔ２までの間に照射される位置に対応する画素の中に、前記光が照射される画素がない場合には、前記駆動信号源を停止させる前記信号源動作可否信号を出力する、ことを特徴とする画像表示装置の駆動装置。
【手続補正２】
【補正対象書類名】明細書
【補正対象項目名】発明の名称
【補正方法】変更
【補正の内容】
【発明の名称】画像表示装置、画像表示装置の駆動方法及び画像表示装置の駆動装置
【手続補正３】
【補正対象書類名】明細書
【補正対象項目名】０００１
【補正方法】変更
【補正の内容】
【０００１】
本発明は、画像表示装置、画像表示装置の駆動方法及び画像表示装置の駆動装置に関す
る。